(57)【要約】【課題】既存のキャビネットに引出しを追加することが容易となる引出し用レールフレームの後付けする方法を提供する。【解決手段】既存のキャビネットのフレーム体を構成する前側縦フレームと後側縦フレームには係合孔が所定高さ位置に形成されており、レールフレーム１２の前後端にそれぞれスライド部材１７をスライド可能に差し込んでおき、スライド部材１７をスライドさせて、スライド部材１７の嵌合突部２０ａ，２０ｂを前側縦フレームと後側縦フレームの係合孔に嵌合させ、前側縦フレームと後側縦フレーム間にレールフレーム１２を後付けすることができる。【選択図】図６
2011104174.tif 000002
【特許請求の範囲】
【請求項１】
既存のキャビネットに引出しを追加する際に、キャビネットの骨組みを構成するフレーム体に引出し用レールフレームを後付けする方法であって、
前記レールフレームの前後端にそれぞれスライド部材をスライド可能に差し込んでおき、
前記フレーム体を構成する前側縦フレームと後側縦フレームの所定高さ位置にそれぞれ開口させた係合孔に、前記各スライド部材をスライドさせて、該スライド部材の先端の嵌合突部を嵌合させることにより前記前側縦フレームと後側縦フレーム間に前記レールフレームを前後方向に固定する
ことを特徴とする引出し用レールフレームの後付け方法。
【請求項２】
前記各スライド部材を前記前側縦フレームと後側縦フレームに押し付けて、前記前側縦フレームと後側縦フレーム間に前記レールフレームを突っ張らせる
ことを特徴とする請求項１に記載の引出し用レールフレームの後付け方法。
【請求項３】
前記レールフレームに形成したピン孔と前記スライド部材に形成したピン孔を整合させ、各ピン孔内にピンを差し込んで前記スライド部材を前記レールフレームに固定する
ことを特徴とする請求項１または請求項２に記載の引出し用レールフレームの後付け方法。
【発明の詳細な説明】
【技術分野】
【０００１】
本発明は、既存のキャビネットに引出しを追加する際に、キャビネットの骨組みを構成するフレーム体に引出し用のレールフレームを後付けすることができる引出し用レールフレームの後付け方法に関するものである。
【背景技術】
【０００２】
従来、特許文献１に開示されているように、収納家具における組立枠は、縦枠ジョイント部材に対し直交状態で横枠ジョイント部材が組み合わされて組立枠が形成されており、横枠ジョイント部材は角パイプの端部に挿着した構造となっている。
【先行技術文献】
【特許文献】
【０００３】
【特許文献１】特開平８−３６５号公報
【発明の概要】
【発明が解決しようとする課題】
【０００４】
上記特許文献１に開示されている構造では、横枠ジョイント部材は角パイプに挿着固定されて縦枠ジョイント部材に接合される構造であるため、一度組み立てられたものに対し後付けで横枠を追加することはできないものであり、そのため既存のものに横枠を後付けして引出しを追加するようなことは不可能であり、全体を作り変えなければならないという問題点があった。
【課題を解決するための手段】
【０００５】
本発明は、既存のキャビネットに引出しを追加する際に、キャビネットの骨組みを構成するフレーム体に引出し用のレールフレームを容易に後付けできる引出し用レールフレームの後付け方法の提供を目的とし、この目的の少なくとも一部を達成するために以下の手段を採った。
本発明は、既存のキャビネットに引出しを追加する際に、キャビネットの骨組みを構成するフレーム体に引出し用レールフレームを後付けする方法であって、前記レールフレームの前後端にそれぞれスライド部材をスライド可能に差し込んでおき、前記フレーム体を構成する前側縦フレームと後側縦フレームの所定高さ位置にそれぞれ開口させた係合孔に、前記各スライド部材をスライドさせて、該スライド部材の先端の嵌合突部を嵌合させることにより前記前側縦フレームと後側縦フレーム間に前記レールフレームを前後方向に固定することを要旨とする。
【発明の効果】
【０００６】
レールフレームの前後端にスライド部材を差し込んでおき、スライド部材をスライドさせて、スライド部材の嵌合突部を、前側縦フレームと後側縦フレームの係合孔に嵌合させることで、レールフレームを良好に後付けして、既存のキャビネットに引出しを追加することができるものとなる。
【０００７】
また、本発明の引出し用レールフレームの後付け方法において、前記各スライド部材を前記前側縦フレームと後側縦フレームに押し付けて、前記前側縦フレームと後側縦フレーム間に前記レールフレームを突っ張らせることとすることもできる。
こうすれば、スライド部材を押し付けて、前側縦フレームと後側縦フレーム間にレールフレームを突っ張らせ、レールフレームをがたつくことなく強固に取り付けできるものとなる。
【０００８】
また、本発明の引出し用レールフレームの後付け方法において、前記レールフレームに形成したピン孔と前記スライド部材に形成したピン孔を整合させ、各ピン孔内にピンを差し込んで前記スライド部材を前記レールフレームに固定することとすることもできる。
こうすれば、レールフレームのピン孔とスライド部材のピン孔内にピンを差し込み、スライド部材をレールフレームに固定して、スライド部材を介して前側縦フレームと後側縦フレーム間に強固にレールフレームを後付け固定できるものとなる。
【図面の簡単な説明】
【０００９】
【図１】引出しを備えたキッチンキャビネットの斜視構成図である。
【図２】キャビネット本体の前面に開き扉が設けられた既存のキッチンキャビネットの斜視構成図である。
【図３】キッチンキャビネットの骨組みを構成するフレーム体の一例を示す斜視構成図である。
【図４】フレーム体における前側縦フレームと後側縦フレーム間にレールフレームを後付けする際の分解斜視説明図である。
【図５】前側縦フレームに、スライド部材とピンを介してレールフレームを固定した状態の要部斜視構成図である。
【図６】レールフレームとスライド部材とピンの分解斜視図である。
【図７】レールフレーム内にスライド部材を差し込んだ状態の斜視構成図である。
【図８】レールフレーム内にスライド部材を差し込んだ状態の破断斜視構成図である。
【図９】レールフレームにスライド部材を差し込む前の平面半断面構成図である。
【図１０】レールフレームに僅かにスライド部材を差し込んだ状態の平面半断面構成図である。
【図１１】レールフレームにスライド部材を差し込んだ状態の平面半断面構成図である。
【図１２】レールフレームにスライド部材を差し込む前の側面構成図である。
【図１３】レールフレームに僅かにスライド部材を差し込んだ状態の側面構成図である。
【図１４】レールフレームにスライド部材を差し込んだ状態の側面構成図である。
【図１５】図１１におけるＡ−Ａ断面図である。
【発明を実施するための形態】
【００１０】
次に、本発明を実施するための形態を実施例を用いて説明する。
図１は、引出し６，６，６を備えたキッチンキャビネット１の斜視図である。
キッチンキャビネット１は、キャビネット本体２の上面にカウンター３が設けられ、このカウンター３にはシンク４とコンロ５が設けられている。
例えば、図２に示す既存のキャビネット本体２の前面に開き扉２ａが設けられて、その奥に収納空間が形成されている場合に、後発的に開き扉２ａに代えて引出し６を追加することができるものである。
なお、図１では、３個の引出し６，６，６を備えているが、この引出し６の何れか或いは全部は、既存の開き扉２ａのキャビネット本体２に追加することができるものである。
【００１１】
キャビネット本体２の骨組みを構成するフレーム体７は、例えば図３に示すような構造となっている。
フレーム体７は、前側の複数の前側縦フレーム８，８，８と、対応する複数の後側縦フレーム９，９，９が、複数本の横フレーム１０，１０，１０で連結され、また、前側縦フレーム８と後側縦フレーム９間には前後方向に前後フレーム１１，１１，１１が組み付けられて枠組みされている。
このようなフレーム体７に、引出し用のレールフレーム１２，１２，１２を後付けすることで、引出し６を後発的にキャビネット本体２に追加することができる。
このレールフレーム１２，１２は、引出し６を追加したい位置の前側縦フレーム８と後側縦フレーム９間に、前後フレーム１１と平行状に後付けされるものである。
【００１２】
即ち、図４の要部分解斜視説明図で示すように、前側縦フレーム８と後側縦フレーム９間に前後方向にレールフレーム１２を後付けし、このレールフレーム１２の側面にレール部材１３をビス止めしておけば、このレール部材１３を介して引出し６を前後方向に引き出し可能に設けることができる。
【００１３】
図５は、前側縦フレーム８にレールフレーム１２の前端側を連結固定した状態の斜視構成図である。
レールフレーム１２を前側縦フレーム８と後側縦フレーム９間に後付けするために、レールフレーム１２の前端側および後端側にそれぞれ図６に示すようなスライド部材１７を差し込み、このスライド部材１７とピン２４を介して、レールフレーム１２を前側縦フレーム８と後側縦フレーム９間に後付け固定することができる。
【００１４】
なお、予め、前側縦フレーム８と後側縦フレーム９の対向する面には、それぞれ上下方向に所定間隔で、角孔状の第１係合孔８ａ，９ａと第２係合孔８ｂ，９ｂと第３係合孔８ｃ，９ｃを形成させておく。
この第１係合孔８ａ，９ａと第２係合孔８ｂ，９ｂと第３係合孔８ｃ，９ｃの何れかを、追加する引出し６に対応して選択し使用するものであり、使用しない係合孔は図示しないキャップ部材等を嵌め込んで蓋しておくことができる。
なお、図５において、８ｅは、前側縦フレーム８の前面側に覆設される蓋部材である。
【００１５】
なお、図７は、レールフレーム１２の前端に図６のスライド部材１７を差し込んだ状態の斜視構成図であり、図８は、スライド部材１７を差し込んだ状態の破断斜視図である。
なお、図９は、レールフレーム１２にスライド部材１７を差し込む前の平面半断面構成図であり、図１０は、スライド部材１７を僅かに差し込んだ状態の平面半断面構成図であり、図１１は、スライド部材１７を差し込み終えた状態の平面半断面構成図である。
また図１２は、スライド部材１７をレールフレーム１２に差し込む前の側面構成図であり、図１３は、スライド部材１７を僅かに差し込んだ状態の側面構成図であり、図１４は、スライド部材１７を差し込み終えた状態の側面構成図である。また、図１５は、図１１のＡ−Ａ線断面図であり、スライド部材１７が差し込まれた状態のＡ−Ａ断面を示す。
【００１６】
先ず、レールフレーム１２を説明する。
レールフレーム１２は、アルミニウム製の角材で構成されており、上片１２ａと下片１２ｂの左右両端間が側面片１２ｃ，１２ｃで連結されて略長方形状の断面に形成され、左右の側面片１２ｃ，１２ｃの上下方向中央部には、内側へ凹ませて前後方向に延びる凹溝１４が形成されている。この凹溝１４は、左右の側面片１２ｃ，１２ｃからそれぞれ内側へ略水平に折り曲げて平行状をなす一対の上ガイド片１２ｄと下ガイド片１２ｅ間に形成されたものであり、この上ガイド片１２ｄと下ガイド片１２ｅの内側には断面Ｃ字状のネジ用Ｃ部１２ｆが一体形成されている。
また、レールフレーム１２の前端側および後端側の上片１２ａ，下片１２ｂの左右方向中央部には、先端側から切り欠き状に凹部１５が形成されており、この凹部１５が形成された先端側から距離をおいてピン孔１６が上下に貫通形成されており、ピン孔１６は上片１２ａから下片１２ｂに貫通してピン２４を差し込み可能な径に形成されている。
【００１７】
次に、スライド部材１７を説明する。
スライド部材１７は、平行に前後方向に延びる側アーム片１８ａ，１８ｂが左右側に設けられ、この側アーム片１８ａ，１８ｂの一端側は連結片１９で連結されて、平面コの字状に形成されている。この連結片１９の外側の面は前当接面１９ａとなっており、内側の面は後当接面１９ｂとなっている。前当接面１９ａの中央部には、凹み状に前記レールフレーム１２の凹部１５と整合する位置に凹部１９ｃが形成されており、この凹部１９ｃの左右側には、連結片１９から外側へ突出して一対の嵌合突部２０ａ，２０ｂが一体形成されている。また、連結片１９の後当接面１９ｂの中央部から上方へ立ち上げて立上片２１が形成され、立上片２１の上端から水平に前後方向に延びて上アーム片２２が形成されており、この上アーム片２２の他端側には、上下に貫通してピン２４を差し込み可能にピン孔２２ａが形成されている。また、前記左右側の側アーム片１８ａ，１８ｂの他端側には、外側へ突出して摘み部２３ａ，２３ｂが一体形成されている。
【００１８】
このような形状のスライド部材１７は、上アーム片２２をレールフレーム１２の上片１２ａの下側へ配置させ、左右の側アーム片１８ａ，１８ｂをそれぞれレールフレーム１２の左右側の凹溝１４，１４内に先端側から挿入して、レールフレーム１２内へ先端側から差し込んでゆくことができ、凹溝１４に沿って前後方向にスライドさせることができるものである。
【００１９】
即ち、図６，図９，図１２の状態から、レールフレーム１２の凹溝１４，１４内にスライド部材１７の側アーム片１８ａ，１８ｂをスライドさせて挿入し、図１０，図１３のように徐々に差し込んでゆくことができ、やがては図１１，図１４に示すような状態にスライド部材１７をレールフレーム１２内に差し込むことができる。
なお、レールフレーム１２には、凹溝１４の先端に、先端側から前後方向に先端切欠孔１４ａが形成されており、この先端切欠孔１４ａの奥側の凹溝１４の当接面１４ｂにスライド部材１７の連結片１９の後当接面１９ｂが当接することで差し込みが停止され、この状態では、レールフレーム１２の先端とスライド部材１７の嵌合突部２０ａ，２０ｂの先端がほぼ同一面となり、レールフレーム１２内にスライド部材１７が完全に呑み込まれた状態となる。
このように、レールフレーム１２の前端および後端にそれぞれスライド部材１７，１７を完全に呑み込ませて差し込んでおき、この状態で、フレーム体７を構成する前側縦フレーム８と後側縦フレーム９間に、レールフレーム１２を前後方向に配置させることができる。
【００２０】
なお、レールフレーム１２の前後方向寸法を、前側縦フレーム８と後側縦フレーム９間の距離とほぼ同一寸法に設定しておけば、予めスライド部材１７を前端および後端に差し込んだ状態でレールフレーム１２を前側縦フレーム８と後側縦フレーム９間に良好に配置させることができ、この状態で、スライド部材１７の左右側の摘み部２３ａ，２３ｂがレールフレーム１２の凹溝１４の外側に僅かに突出状態となっているため、この左右の摘み部２３ａ，２３ｂを指で押さえて手でスライド部材１７をレールフレーム１２の凹溝１４に沿って先端側へスライド移動させることができ、スライド部材１７の嵌合突部２０ａ，２０ｂを、例えば図５のように縦フレーム８，９の第２係合孔８ｂ，９ｂに差し込んで、第２係合孔８ｂ，９ｂに嵌合突部２０ａ，２０ｂを嵌合させることにより、縦フレーム８，９間にレールフレーム１２を固定することができる。
【００２１】
なお、前側縦フレーム８および後側縦フレーム９には、図４及び図５に示すように縦方向に突条８ｄ，９ｄが一体形成されており、この突条８ｄ，９ｄがレールフレーム１２の凹部１５およびスライド部材１７の凹部１９ｃ内に嵌まり込むこととなり、これにより、レールフレーム１２の左右方向へのがたつきが防がれるものとなる。
【００２２】
なお、さらにスライド部材１７を先端側へ押し出して、前側縦フレーム８および後側縦フレーム９にそれぞれスライド部材１７，１７を押し付けることで、レールフレーム１２に形成したピン孔１６とスライド部材１７のピン孔２２ａが整合することとなり、この整合状態で、ピン２４をピン孔１６，２２ａ内に上方より落とし込んで貫通させ、ピン２４の頭部２４ａをレールフレーム１２の上片１２ａに当接させて配置させる。
これにより、ピン２４を介してスライド部材１７はレールフレーム１２に固定されることとなり、この状態では、前端および後端側のスライド部材１７，１７を介してレールフレーム１２が前側縦フレーム８と後側縦フレーム９間に突っ張った状態で強固に固定され、前後方向のがたつきがなくなるものである。
【００２３】
なお、レールフレーム１２を前側縦フレーム８と後側縦フレーム９間にがたつくことなく強固に突っ張らせて取り付けるために、図９に示すように、レールフレーム１２の先端面とピン孔１６の中心間の距離ａよりも、スライド部材１７の前当接面１９ａ（前側縦フレーム８或いは後側縦フレーム９に当接する面）とピン孔２２ａの中心間の距離ｂは長く設定されている。即ち、ｂはａの寸法よりも０．２ｍｍ長い寸法に設定されており、この０．２ｍｍの寸法で突っ張り力を発生させることができる。
【００２４】
このように、予めレールフレーム１２の前端および後端側にそれぞれスライド部材１７，１７を差し込んでおき、レールフレーム１２を前側縦フレーム８と後側縦フレーム９間に配置させて、この状態で、それぞれスライド部材１７をスライドさせて、前側縦フレーム８，後側縦フレーム９に形成されている係合孔８ｂ，９ｂ内に嵌合突部２０ａ，２０ｂを嵌合させ、さらに縦フレーム８，９にそれぞれスライド部材１７，１７を押し付けてピン孔１６，２２ａを整合させ、ピン孔１６，２２ａ内に上方よりピン２４を落とし込み状に差し込むことで、強固にレールフレーム１２を後付けすることができ、工具を用いることなく手作業で良好にレールフレーム１２を後付けして、このレールフレーム１２に予めレール部材１３をビス止めしておけば、既存のキャビネット本体２に引出し６を後発的に追加できるものである。
なお、レールフレーム１２を取り外す際には、ピン２４を上方へ抜き取れば良く、作業は簡単であり、容易にレールフレーム１２を取り外すことができる。
【符号の説明】
【００２５】
１  キッチンキャビネット
２  キャビネット本体
６  引出し
７  フレーム体
８  前側縦フレーム
９  後側縦フレーム
８ａ，９ａ  第１係合孔
８ｂ，９ｂ  第２係合孔
８ｃ，９ｃ  第３係合孔
８ｄ，９ｄ  突条
１２  レールフレーム
１２ａ  上片
１２ｂ  下片
１２ｃ  側面片
１２ｄ  上ガイド片
１２ｅ  下ガイド片
１３  レール部材
１４  凹溝
１４ａ  先端切欠孔
１４ｂ  当接面
１５  凹部
１６  ピン孔
１７  スライド部材
１８ａ，１８ｂ  側アーム片
１９  連結片
１９ａ  前当接面
１９ｂ  後当接面
１９ｃ  凹部
２０ａ，２０ｂ  嵌合突部
２２  上アーム片
２２ａ  ピン孔
２３ａ，２３ｂ  摘み部
２４  ピン
２４ａ  頭部
【図１】
2011104174.tif 000003
【図２】
2011104174.tif 000004
【図３】
2011104174.tif 000005
【図４】
2011104174.tif 000006
【図５】
2011104174.tif 000007
【図６】
2011104174.tif 000008
【図７】
2011104174.tif 000009
【図８】
2011104174.tif 000010
【図９】
2011104174.tif 000011
【図１０】
2011104174.tif 000012
【図１１】
2011104174.tif 000013
【図１２】
2011104174.tif 000014
【図１３】
2011104174.tif 000015
【図１４】
2011104174.tif 000016
【図１５】
2011104174.tif 000017